(57)【要約】【課題】着用すると楽にかつ姿勢よく歩行することのできるボトム衣類を提供する。【解決手段】本体部と、伸縮率が前記本体部の伸縮率よりも低くなるように構成された緊締部と、で構成され、着用者の着用時に身体にフィットするように構成されたボトム衣類であって、前記緊締部が、積層された、仙骨の側部から大腿骨大転子の上縁部にむかう第一領域に略対応する位置に設けられた第一緊締部（梨状筋用緊締部）と、坐骨結節から脛骨の外側上部及び内側上部にむかう第二領域に略対応する位置に設けられた第二緊締部（ハムストリングス筋用緊締部）と、仙骨の側部から大腿骨の殿筋粗面にむかう第三領域に略対応する位置に設けられた第三緊締部（大殿筋用緊締部）と、を有すること、を特徴とするボトム衣類。【選択図】図１
2011241525.tif 000002
【特許請求の範囲】
【請求項１】
本体部と、伸縮率が前記本体部の伸縮率よりも低くなるように構成された緊締部と、で構成され、着用者の着用時に身体にフィットするように構成されたボトム衣類であって、
前記緊締部が、積層された、
仙骨の側部から大腿骨大転子の上縁部にむかう第一領域に略対応する位置に設けられた梨状筋用第一緊締部と、
坐骨結節から脛骨の外側上部及び内側上部にむかう第二領域に略対応する位置に設けられたハムストリングス筋用第二緊締部と、
仙骨の側部から大腿骨の殿筋粗面にむかう第三領域に略対応する位置に設けられた大殿筋用第三緊締部と、
を有し、
前記第一緊締部は、仙骨の側部から大腿骨大転子の上縁部へむかう第一方向において、前記本体部よりも伸縮率が低く、
前記第二緊締部は、坐骨結節から脛骨の外側上部及び内側上部の中心へむかう第二方向において、前記本体部よりも伸縮率が低く、
前記第三緊締部は、仙骨の側部から大腿骨の殿筋粗面へむかう第三方向において、前記本体部よりも伸縮率が低いこと、
を特徴とするボトム衣類。
【請求項２】
前記第一緊締部、前記第二緊締部及び前記第三緊締部が、内側から外側にむけてこの順に積層されていること、
を特徴とする請求項１に記載のボトム衣類。
【請求項３】
背面において、
前記第一領域が、股下中心点Ａ１の鉛直方向上側の仙骨最下点Ａ２とウエスト開口一端部より略１／４の点Ｂとを結ぶ直線Ａ２Ｂと、前記仙骨最下点Ａ２から前記ウエスト開口一端部側の側縁にむかって延びて前記側縁に点Ｃ１で略直交する直線Ａ２Ｃ１と、前記点Ｃ１とウエスト開口他端部Ｄとを結ぶ直線Ｃ１Ｄと、で囲まれる領域を略含み、
前記第二領域が、股下中心点Ａ１から前記ウエスト開口一端部側の側縁にむかって延びて前記側縁に点Ｃ２で略直交する直線Ａ１Ｃ２の略中心点Ｅと脚口縁部の両端Ｆ，Ｇとを結ぶ直線ＥＦ及び直線ＥＧと、前記脚口縁部の両端Ｆ，Ｇを結ぶ直線ＦＧと、で囲まれる領域を略含み、
前記第三領域が、前記直線ＡＢと、前記点Ｂと前記点Ｃ２とを結ぶ直線ＢＣ２と、前記点Ｃ２と前記ウエスト開口一端部側の側縁において前記点Ｃ２と同じか下方に位置する点Ｈと結ぶ直線Ｃ２Ｈと、前記点Ｈと前記仙骨最下点Ａ２とを結ぶ直線ＨＡ２と、で囲まれる領域を略含むこと、
を特徴とする請求項１又は２に記載のボトム衣類。
【発明の詳細な説明】
【技術分野】
【０００１】
本発明は、意識的、積極的なエクササイズを伴わずに歩行姿勢是正効果及びシェイプアップ効果が期待できるボトム衣類に関する。
【背景技術】
【０００２】
従来から、例えばスパッツやガードル、サポータなどの着用者の身体にフィットするボトム衣類には、着用者の体形を補整または整形するものの他に、静止時や歩行時の姿勢を矯正するものや、運動機能性の向上を意図したものなどがある。
【０００３】
これらのようなボトム衣類のうち、緊締力を有する帯状ないしベルト状の布地を使用したボトム衣類の従来例としては、例えば特許文献１記載のものがある。特許文献１において提案されているフィットタイプの股付き衣類は、緊締力を有する帯状のヒップ引き上げ部などを有しており、脚部が動かし易くて着用感に優れ、ヒップアップ機能も実現されている。
【０００４】
また、例えば特許文献２では、弾性力の強いベルトを、着用者の体前面側と体後面側の双方に有する女性用骨盤サポータが提案されている。この女性用骨盤サポータにおいては、体前面側の弾性ベルトが、クロッチ部（股部）から上方に延びて、恥骨部の上部において左右に分かれ、女性の骨盤をサポートするように構成されている。そして、左右に分かれた体前面側の弾性ベルトに挟まれたフロント部は、伸縮性に乏しい布材で構成されている。また、体後面側の弾性ベルトは、クロッチ部から上方に延びて臀裂を覆い、仙骨部の上部で左右に分かれている。
【０００５】
これらに対し、姿勢矯正機能や運動機能性を高めた股付き衣類を着用して体を安定させようとすると、歩行時に脚の動きが阻害されたり、歩行時の姿勢を安定性が不十分であったりする問題を解消することを意図して、例えば特許文献３では、少なくとも長手方向に緊締力を有すると共に、着用状態において体前面側の左右の側腹部またはその下方からクロッチ部を経由して、体後面側の左右の側腹部または腰部もしくはその下方に延びる２本の緊締ライン部を有する緊締部を含む股付き衣類が提案されている。
【先行技術文献】
【特許文献】
【０００６】
【特許文献１】特許第２９２１７３７号公報
【特許文献２】実開昭５８−４６３１３号公報
【特許文献３】特開２００６−５２４７５号公報
【発明の開示】
【発明が解決しようとする課題】
【０００７】
しかしながら、上記のような従来のボトム衣類を着用していたとしても、歩行する際に使用される筋肉に偏った力や余計な力がかかっていたりすると、やはり楽にかつ姿勢よく歩行することは困難である。
【０００８】
そこで、本発明者は、特に日本人の歩行姿勢について鋭意研究を重ねた結果、楽にかつ姿勢よく歩行するため必要な筋肉部分を見出し、この筋肉部分の作用をサポートすれば、より楽にかつ姿勢よく歩行できることを実験により実証し、本発明を完成するに至った。即ち、本発明の目的は、楽にかつ姿勢よく歩行することのできるボトム衣類を提供することにある。
【課題を解決するための手段】
【０００９】
上記のような課題を解決すべく、本発明は、
本体部と、伸縮率が前記本体部の伸縮率よりも低くなるように構成された緊締部と、で構成され、着用者の着用時に身体にフィットするように構成されたボトム衣類であって、
前記緊締部が、積層された、
仙骨の側部から大腿骨大転子の上縁部にむかう第一領域に略対応する位置に設けられた第一緊締部（梨状筋用緊締部）と、
坐骨結節から脛骨の外側上部及び内側上部にむかう第二領域に略対応する位置に設けられた第二緊締部（ハムストリングス筋用緊締部）と、
仙骨の側部から大腿骨の殿筋粗面にむかう第三領域に略対応する位置に設けられた第三緊締部（大殿筋用緊締部）と、
を有すること、
を特徴とするボトム衣類を提供する。
【００１０】
このような構成を有する本発明のボトム衣類を着用すれば、互いに積層された第一緊締部、第二緊締部及び第三緊締部によって、楽にかつ姿勢よく歩行するために必要な筋肉部分がサポートされるため、その他の筋肉部分に余計な力がかかりにくく、楽にかつ姿勢よく歩行することができる。
【００１１】
上記の本発明のボトム衣類においては、
前記第一緊締部は、仙骨の側部から大腿骨大転子の上縁部へむかう第一方向において、前記本体部よりも伸縮率が低く、
前記第二緊締部は、坐骨結節から脛骨の外側上部及び内側上部の中心へむかう第二方向において、前記本体部よりも伸縮率が低く、
前記第三緊締部は、仙骨の側部から大腿骨の殿筋粗面へむかう第三方向において、前記本体部よりも伸縮率が低い。
【００１２】
このような構成を有する本発明のボトム衣類を着用すれば、第一緊締部、第二緊締部及び第三緊締部によって、楽にかつ姿勢よく歩行するために必要な筋肉部分が、楽にかつ姿勢よく歩行するために作用する方向により確実にサポートされるため、その他の筋肉部分に余計な力がかかりにくく、より確実に楽にかつ姿勢よく歩行することができる。
【００１３】
上記の本発明のボトム衣類においては、
前記第一領域が梨状筋を略覆う領域であり、
前記第二領域がハムストリングス筋を略覆う領域であり、
前記第三領域が大殿筋を略覆う領域である。
【００１４】
このような構成を有する本発明のボトム衣類を着用すれば、第一緊締部、第二緊締部及び第三緊締部によって、それぞれ楽にかつ姿勢よく歩行するために必要な筋肉部分である、梨状筋、ハムストリングス筋及び大殿筋が、楽にかつ姿勢よく歩行するために作用する方向にサポートされるため、その他の筋肉部分に余計な力がかかりにくく、より確実に楽にかつ姿勢よく歩行することができる。
【００１５】
上記の本発明のボトム衣類においては、
背面において、
前記第一領域が、股下中心点Ａ１の鉛直方向上側の仙骨最下点Ａ２とウエスト開口一端部より略１／４の点Ｂとを結ぶ直線Ａ２Ｂと、前記仙骨最下点Ａ２から前記ウエスト開口一端部側の側縁にむかって延びて前記側縁に点Ｃ１で略直交する直線Ａ２Ｃ１と、前記点Ｃ１とウエスト開口他端部Ｄとを結ぶ直線Ｃ１Ｄと、で囲まれる領域を略含み、
前記第二領域が、股下中心点Ａ１から前記ウエスト開口一端部側の側縁にむかって延びて前記側縁に点Ｃ２で略直交する直線Ａ１Ｃ２の略中心点Ｅと脚口縁部の両端Ｆ，Ｇとを結ぶ直線ＥＦ及び直線ＥＧと、前記脚口縁部の両端Ｆ，Ｇを結ぶ直線ＦＧと、で囲まれる領域を略含み、
前記第三領域が、前記直線ＡＢと、前記点Ｂと前記点Ｃ２とを結ぶ直線ＢＣ２と、前記点Ｃ２と前記ウエスト開口一端部側の側縁において前記点Ｃ２と同じか下方に位置する点Ｈと結ぶ直線Ｃ２Ｈと、前記点Ｈと前記仙骨最下点Ａ２とを結ぶ直線ＨＡ２と、で囲まれる領域を略含むこと、
が好ましい。
【００１６】
このような構成を有する本発明のボトム衣類によれば、本発明者の理論に基づいて楽にかつ姿勢よく歩行するために必要な筋肉部分に略対応する位置（第一緊締部、第二緊締部及び第三緊締部）をより明確に特定することができ、本発明のボトム衣類をより確実に製造することができ製造工程上も好ましい。
【００１７】
上記の本発明のボトム衣類においては、
前記第一緊締部、前記第二緊締部及び前記第三緊締部が、内側から外側にむけてこの順に積層されている。
【００１８】
このような構成を有する本発明のボトム衣類を着用すれば、楽にかつ姿勢よく歩行するために必要な筋肉部分である、梨状筋、ハムストリングス筋及び大殿筋が、この順に身体の奥側から表面側にむかって位置しているため、第一緊締部、第二緊締部及び第三緊締部によって、それぞれ梨状筋、ハムストリングス筋及び大殿筋に対して、楽にかつ姿勢よく歩行するために作用する方向にサポートされ易く、その他の筋肉部分に余計な力がかかりにくく、より確実に楽にかつ姿勢よく歩行することができる。
【発明の効果】
【００１９】
本発明によれば、楽にかつ姿勢よく歩行することができるボトム衣類を実現することができる。
【図面の簡単な説明】
【００２０】
【図１】本発明の一実施形態に係るボトム衣類１の背面側を示す平面図である。
【図２】本発明の一実施形態に係るボトム衣類１を着用して歩行する際に、ユーザーの身体においてサポートされる左脚の３つの筋肉部分のうちの梨状筋Ｘを背面から示す図である。
【図３】本発明の一実施形態に係るボトム衣類１を着用して歩行する際に、ユーザーの身体においてサポートされる左脚の３つの筋肉部分のうちのハムストリングス筋Ｙを背面から示す図である。
【図４】本発明の一実施形態に係るボトム衣類１を着用して歩行する際に、ユーザーの身体においてサポートされる左脚の３つの筋肉部分のうちの大殿筋Ｚを背面から示す図である。
【図５】両足の位置を示す図であり、（ａ）は左右の足のつま先とかかとを結ぶ線ｌ、ｍがほぼ平行に位置している様子を示し、（ｂ）は左右の足のつま先とかかとを結ぶ線ｌ、ｍが交差し、脚全体が脚の長さ方向を軸として外側に開いている様子を示している。
【図６】本発明の一実施形態に係るボトム衣類１を着用したユーザーが歩行する様子を説明するための図である。
【図７】本実施形態のボトム衣類１における第一緊締部（梨状筋用緊締部）４の位置を説明するための図である。
【図８】本実施形態のボトム衣類１における第二緊締部（ハムストリングス筋用緊締部）６の位置を説明するための図である。
【図９】本実施形態のボトム衣類１における第三緊締部（大殿筋用緊締部）８の位置を説明するための図である。
【図１０】図１に示すボトム衣類１の変形例の背面側を示す平面図である。
【発明を実施するための形態】
【００２１】
以下、図面を参照しながら本発明のボトム衣類の好適な実施形態について詳細に説明する。なお、以下の説明では、同一または相当部分には同一符号を付し、重複する説明は省略する場合がある。また、以下の説明では、図面においては、本発明を概念的に説明するためのものであるから、表された各構成要素の寸法やそれらの比は実際のものとは異なる場合もある。
【００２２】
図１に示す本実施形態のボトム衣類を着用して歩行すると、第一緊締部（梨状筋用緊締部）と、第二緊締部（ハムストリングス筋用緊締部）と、第三緊締部（大殿筋用緊締部）と、により、身体における３つの筋肉部分（梨状筋、ハムストリングス筋及び大殿筋）の働きをサポートすることができ、これを着用したユーザーは、楽にかつ姿勢よく歩行できることができる。
【００２３】
図１は、本実施形態のボトム衣類１の背面側を示す平面図である。本実施形態のボトム衣類１は、略矩形の本体部２と、伸縮率が本体部２の伸縮率よりも低くなるように構成された緊締部と、を含み、着用者（ユーザー）の着用時に身体にフィットするように構成されており、前記緊締部は、略鋭角三角形状の第一緊締部（梨状筋用緊締部）４と、略二等辺三角形状の第二緊締部（ハムストリングス筋用緊締部）６と、略矩形（四角形）状の第三緊締部（大殿筋用緊締部）８と、を含んでいる。第一緊締部４及び第三緊締部８は部分的に重なっているが、ユーザーの身体側から第一緊締部４及び第三緊締部８の順に外側にむかって積層されている。
【００２４】
ここで、図２〜図４は、本実施形態のボトム衣類１を着用して歩行する際に、ユーザーの身体においてサポートされる左脚の３つの筋肉部分を背面から示す図であり、それぞれ梨状筋Ｘ、ハムストリングス筋Ｙ及び大殿筋Ｚを示す図である。本実施形態のボトム衣類１における第一緊締部４、第二緊締部６及び第三緊締部８は、それぞれ梨状筋Ｘ、ハムストリングス筋Ｙ及び大殿筋Ｚの収縮方向において、本体部２よりも低い伸縮率を有する部分である。
【００２５】
第一緊締部４によって梨状筋が収縮する作用がサポートされ、図５の（ａ）から（ｂ）にその様子が示されるように、脚全体が脚の長さ方向を軸として外側に開こうとする（外旋する）方向に力が働き、これにより、内旋しにくく（内股になりにくく）、骨格上、特に脚の大腿部が後方側に移動し易くなり、脚を前方内旋（内股）方向に出して歩行しようとすると、当該脚の大腿部が前方側で移動しにくく、惰性・慣性で当該脚の膝下が前方に伸び易くなる。
【００２６】
なお、図５は、両足の位置を示す図であり、（ａ）は左右の足のつま先とかかとを結ぶ線ｌ、ｍがほぼ平行に位置している様子を示し、（ｂ）は左右の足のつま先とかかとを結ぶ線ｌ、ｍが交差し、脚全体が脚の長さ方向を軸として外側に開いている様子を示している。
【００２７】
第二緊締部６によってハムストリングス筋が収縮する作用がサポートされ、歩き出す際、図６の（ａ）にその様子が示されるように、左脚で身体を矢印Ｄ１の方向に蹴り上げ（振り上げ）るが、膝関節が屈曲し易く膝下が後方側上方に移動し易い。ついで、右脚を前に振り出そうとする際、当該右脚の太腿部には矢印Ｄ２の方向に力が働いてむやみに前方側上方に移動せず、したがって股関節が伸展し易くその屈曲（身体の前傾）が抑制される。また、後方側上方に移動していた膝下は、惰性・慣性が働いて前方側（矢印Ｄ３の方向）に移動し易くなり、膝が伸びた状態で右脚全体が前方に移動する。また、このようにして、ユーザーは楽に歩行することができる。
【００２８】
この際、上記のように、矢印Ｄ２及び矢印Ｄ３の方向に力が働き、右脚の大腿部の前方側への移動が抑えられ、かつ右脚の膝下の前方への移動が促進されるため、身体の上体が前方に傾きにくく、図６の（ｂ）にその様子が示されるように、右脚は膝が真っ直ぐに伸びた状態で地面に着き易くなり、よって姿勢よく歩行することができる。上記と同じ動きを、続いて左脚、右脚、左脚、・・・と連続することにより、ユーザーは楽に姿勢よく歩行し続けることができる。
【００２９】
また、第三緊締部８によって大殿筋が収縮する作用がサポートされる。大殿筋は、梨状筋及びハムストリングス筋に比べてより強い筋力を発揮する筋肉であり、これらと同様の作用を及ぼす一面もあるため、第三緊締部８は第一緊締部４又は第二緊締部６と同様の機能も発揮する。特に第三緊締部８は、第二緊締部６と同様に、脚を前に振り出そうとする際に太腿部に矢印Ｄ２の方向に力を及ぼし、大腿部が前方側上方に移動しにくく、したがって股関節が伸展し易くその屈曲（身体の前傾）が抑制される。なお、脚の外旋もサポートするものと考えられる。このような第一緊締部４、第二緊締部６及び第三緊締部８の働きにより、ボトム衣類１を着用したユーザーは、楽に姿勢よく歩行し続けることができる。
【００３０】
ここで、本実施形態のボトム衣類１の構成の理解の容易のため、図７〜図９に、図１に示すボトム衣類１における第一緊締部（梨状筋用緊締部）４と、略二等辺三角形状の第二緊締部（ハムストリングス筋用緊締部）６と、略矩形（四角形）状の第三緊締部（大殿筋用緊締部）８と、をそれぞれ個別に示す。
【００３１】
図７は、本実施形態のボトム衣類１における第一緊締部（梨状筋用緊締部）４の位置を説明するための概念図であり、図８は、本実施形態のボトム衣類１における第二緊締部（ハムストリングス筋用緊締部）６の位置を説明するための概念図である。そして、図９は、本実施形態のボトム衣類１における第三緊締部（大殿筋用緊締部）８の位置を説明するための概念図である。ただし、図７〜図９においては、便宜上、それぞれ左側の緊締部のみを示している。
【００３２】
図７に示す第一緊締部４は、図２に示すユーザーの仙骨ａの側部から大腿骨大転子ｂの上縁部にむかう第一領域に略対応する位置（即ち、梨状筋に略対応する位置）に設けられ、図８に示す第二緊締部６は、図３に示すユーザーの坐骨結節ｃから脛骨ｄの外側上部及び内側上部にむかう第二領域に略対応する位置（即ち、ハムストリングス筋に略対応する位置）に設けられ、図９に示す第三緊締部８は、図４に示すユーザーの仙骨ａの側部から大腿骨ｅの殿筋粗面にむかう第三領域に略対応する位置（即ち、大殿筋に略対応する位置）に設けられている。
【００３３】
第一緊締部４、第二緊締部６及び第三緊締部８は、本体部２の表面において縫製等によって配置すればよく、重なる第一緊締部４及び第三緊締部８は、第一緊締部４及び第三緊締部８の順に積層するように縫製等によって配置すればよい。本体部２に、図１に示すような第一緊締部４、第二緊締部６及び第三緊締部８の組合せ部分に相当する切り欠き部（開口部）を形成し、ここに第一緊締部４、第二緊締部６及び第三緊締部８を縫製等によって配置してもよい。
【００３４】
そして、第一緊締部４は、仙骨の側部から大腿骨大転子の上縁部へむかう第一方向（図７における矢印の方向）において、本体部２よりも伸縮率が低く、第二緊締部６は、坐骨結節から脛骨の外側上部及び内側上部の中心へむかう第二方向（図８における矢印の方向）において、本体部２よりも伸縮率が低く、第三緊締部８は、仙骨の側部から大腿骨の殿筋粗面へむかう第三方向（図９における矢印の方向）において、本体部２よりも伸縮率が低い。
【００３５】
第一緊締部４が覆う第一領域は、より具体的に、図７に示すように、股下中心点Ａ１の鉛直方向上側（例えば約２〜５ｃｍ上側）の仙骨最下点Ａ２とウエスト開口一端部より略１／４の点Ｂとを結ぶ直線Ａ２Ｂと、前記仙骨最下点Ａ２から前記ウエスト開口一端部側の側縁にむかって延びて前記側縁に点Ｃ１で略直交する直線Ａ２Ｃ１と、前記点Ｃ１とウエスト開口他端部Ｄとを結ぶ直線Ｃ１Ｄと、で囲まれる領域を略含んでいる。
【００３６】
また、第二緊締部６が覆う第二領域は、図８に示すように、股下中心点Ａ１から前記ウエスト開口一端部側の側縁にむかって延びて前記側縁に点Ｃ２で略直交する直線Ａ１Ｃ２の略中心点Ｅと脚口縁部の両端Ｆ，Ｇとを結ぶ直線ＥＦ及び直線ＥＧと、前記脚口縁部の両端Ｆ，Ｇを結ぶ直線ＦＧと、で囲まれる領域を略含んでいる。
【００３７】
そして、第三緊締部８が覆う第三領域は、前記直線ＡＢと、前記点Ｂと前記点Ｃ２とを結ぶ直線ＢＣ２と、前記点Ｃ２と前記ウエスト開口一端部側の側縁において前記点Ｃ２と同じか下方に位置する点Ｈと結ぶ直線Ｃ２Ｈと、前記点Ｈと前記仙骨最下点Ａ２とを結ぶ直線ＨＡ２と、で囲まれる領域を略含んでいる。
【００３８】
第一緊締部４が覆う第一領域を規定する図７に示す点Ｃ２は、梨状筋にある程度の作用を及ぼすことのできる範囲であれば、図７に示す位置よりも上又は下にあってもよい。
【００３９】
第二緊締部６が覆う第二領域を規定する点Ｅも、ハムストリングス筋にある程度の作用を及ぼすことのできる範囲であれば、図８に示す位置よりも上又は下にあってもよいが、ハムストリング筋の起点を確実に覆うという観点から、図８に示す位置又はそれよりも上にあるのが好ましい。例えば、点Ｅは点Ｂの位置にあってもよい。
【００４０】
また、第三緊締部８が覆う第三領域を規定する点Ｂは、ハムストリングス筋にある程度の作用を及ぼすことのできる範囲であれば、図９に示す位置よりも右又は左にあってもよく、点Ｃ２も、ハムストリングス筋にある程度の作用を及ぼすことのできる範囲であれば、図９に示す位置よりも上又は下にあってもよい。また、点Ｈも、ウエスト開口一端部Ｐ側の側縁において点Ｃ２と同じか下方に位置すればよく、例えば、点Ｆの位置にあってもよい。
【００４１】
本実施形態のボトム衣類１及び各構成要素のサイズについては、ユーザーの体型や性別によって適宜調整することができ、例えばＬＬ、Ｌ、Ｍ、Ｓ寸と規格化して製造すればよい。なかでも、股下中心点Ａ１から仙骨最下点Ａ２までの距離Ａ１Ａ２は、例えば３〜１５ｃｍ、更には５〜１０ｃｍ程度であればよく、また、股下中心点Ａ１からウエスト開口までの距離（即ち、背面側の股上寸）は、例えば１５〜２５ｃｍ程度、更には１８〜２２ｃｍ程度であればよい。
【００４２】
ここで、本実施形態のボトム衣類１を着用した際に身体に「フィット」した状態を作るには、人体の裸のサイズに対して、周囲方向は５０％以上１１０％以下、さらに好ましくは７０％以上９５％以下、丈は７５％以上１００％以下、さらに好ましくは８５％以上１００％以下としてボトム衣類１を形成する。もちろん人体のサイズは個人差があるので、前記の比率は目安である。
【００４３】
本実施形態のボトム衣類１の本体部２とは、ボトム衣類１を構成する主要な生地部、即ち腰部及び少なくとも大腿部を覆い、第一緊締部４、第二緊締部６及び第三緊締部８は、上記のようにそれぞれ少なくとも両方の梨状筋、ハムストリングス筋及び大殿筋の一部又は全部をそれぞれ覆う位置に配置され、このように本体部２、第一緊締部４、第二緊締部６及び第三緊締部８を構成する生地を縫製や編等により組み合わせることにより、本実施形態のボトム衣類１を製造することができる。
【００４４】
本実施形態のボトム衣類１は、膝上、膝下又は足首まで覆うように形成されていてもよく、本発明は図１の寸法に限定されるわけではない。膝下又は足首まで覆う場合は、それらの領域には必要に応じて本体部（腰部及び少なくとも大腿部）、第一緊締部、第二緊締部及び第三緊締部（並びに要すれば追加の生地素材）を配置する。本体部、第一緊締部、第二緊締部及び第三緊締部等（特に第一緊締部、第二緊締部及び第三緊締部）は、縫製等によって積層一体化されていることが好ましいが、緯編物の場合は、一体編成することもできる。
【００４５】
本体部及び緊締部（第一緊締部、第二緊締部及び第三緊締部）等の素材は、いわゆるストレッチ素材であり、例えば素材の５ｃｍ幅における４．９Ｎ（５００ｇｆ）加重時の伸縮（伸長）率については、少なくともボトム衣類とした場合の縦方向において、例えば緊締部の素材は５％以上３０％未満の範囲、本体部の素材は３０％以上の範囲であることが好ましい。また、５ｃｍ幅における１７．７Ｎ（１８００ｇｆ）加重時の伸長率は、少なくともボトム衣類とした場合の縦方向において、例えば緊締部は３０％以上８０％未満、本体部は８０％以上であることが好ましい。
【００４６】
このような各部分のストレッチ特性を出すためには、後に説明するように、例えば弾性糸を編物又は織物の構成糸に用いた場合、一例として次のような手段を取ることができる。
（１）緊締部には本体部に比べて、弾性糸の構成比率を高くする。
（２）緊締部には本体部に比べて、弾性糸の繊度を太くする。
（３）緊締部には本体部に比べて、織物の場合は経糸及び／又は緯糸密度を高くし、編み物の場合は編み密度を高くする。
（４）緊締部には本体部に比べて、弾性糸の張力を高くして織物又は編物を製造する。
（５）緊締部には本体部に比べて、生地の厚さを厚くして織物又は編物を製造する。
【００４７】
上記のストレッチ素材には、縦方向及び横方向に伸縮する２ウェイストレッチ編物や２ウェイストレッチ織物等の布帛を用いることができる。２ウェイストレッチ編物又は織物は、ポリエステル繊維糸と弾性糸とを主成分構成糸とするか、またはナイロン繊維糸と弾性糸とを主成分構成糸としてもよい。別の構成としては、コットン（木綿）と弾性糸とを主成分構成糸としてもよい。主成分構成糸とは、合計すると８０重量％以上になる成分構成糸のことをいう。なお、ポリエステル繊維糸を用いた場合は、汗をかいても乾き易いという点から好ましく、ナイロン繊維糸を用いた場合は、軟らかなタッチの編物となるという点から好ましい。
【００４８】
前記編物又は織物の組織はどのようなものであってもよい。織物としては一般的に知られている平織、斜文織、朱子織の３原組織の他、変化織であってもよい。また、編物として一般的に知られているラッセル経編機によって編成された編物、トリコット経編機によって編成された編物及びニット緯編み機によって編成された編物等であってもよい。
【００４９】
編物については、例えば、トリコット経編機によって編成されるハーフ組織の編物やラッセル経編機によって編成されるパワーネット組織の編物等を挙げることができる。ニット緯編物としては、例えば平編（天竺編）、ゴム編、パール編、スムース編（両面編）等どのような組織でもよい。また、ニット緯編み機によって編成される編物は、丸編機又は横編機によって編成される編物であってもよい。なお、緯編ニットの場合、縫製を必要とせず、第一緊締部、第二緊締部及び第三緊締部を積層一体化編成することも可能である。例えば、横編の無縫製機（島精機製作所）の「ＦＩＲＳＴ−Ｘ」という装置を用いて腰部と両脚部を同時に編成し、無縫製ニット製品を製造することができる。
【００５０】
また、イタリアのサントニ（ＳＡＮＴＯＮＩ）社のフルコンピュータ制御の「シームレス・ボディ・インナー編み機」と呼ばれる装置で、強緊締素材及び弱緊締素材の組み合わせをシームレスで筒状に編成し、下腹部及び脚部とすることも可能である。
【００５１】
前記織物又は編物は、ポリウレタン糸等の伸縮性を有する弾性糸を少なくとも一部に使用しているものが好ましい。前記弾性糸は、ポリウレタン系弾性糸及びポリエステル系弾性糸から選ばれる少なくとも一つであることが好ましい。ストレッチ性が高く、スポーツ衣料に適しているからである。前記弾性糸は、ベアヤーン（裸糸）又は表面にポリエステル繊維もしくはナイロン繊維が被覆されたカバードヤーンのどちらでもよい。
【００５２】
高捲縮仮撚加工を施して伸縮性を持たせたポリエステル、ナイロン等の高捲縮仮撚加工糸を生地の少なくとも一部又は全部に使用した生地も使用可能である。また、単純に前記伸縮性のあるニットを複数枚数重ねて使用することも使用可能である。更に、前記伸縮性のあるニット生地同士をラミネート加工して二層にした二層ラミネート生地、伸縮性のあるポリウレタンシートを前記伸縮性のあるニット生地ではさみ込みラミネート加工して三層にした三層ラミネート生地も使用可能である。
【００５３】
次に、生地素材に「強弱」の緊締力を持たせ、緊締部（強緊締素材）及び本体部（弱緊締素材）とする方法としては、例えばポリウレタン糸、高捲縮仮撚加工糸（以下、「伸縮糸」という。）の混率の「大小」でそれぞれ生地素材に「強弱」の緊締力を持たせることができる。混率に変化を与える方法としては、伸縮糸の太さを「太細」と変えることで混率の「大小」を出す方法、伸縮糸の太さは同じで生地中に配する割合を「多少」と変えることで混率の「大小」を出す方法がある。伸縮糸の混率が一定の場合に編密度を「密疎」とかえることでも可能である。さらに、伸縮糸の種類を変えた生地を使用するか、ラミネート加工した生地とラミネート加工していない生地を用いるか、または同一の生地の重ねる枚数を変えることでも生地に「強弱」の緊締力を持たせることが可能である。
【００５４】
強緊締素材および弱緊締素材における「強弱」の緊締力は、一定加重時の生地の伸長率の大小で確認することができる。即ち、緊締力の強い生地は伸長率が小さく、弱い生地は伸長率が大きい。なお、本発明における「緊締力」とは、伸長に対する素材の抵抗力のことをいう。
【００５５】
ストレッチ性及び緊締力を表す伸長率は、ＴＥＮＳＩＬＯＮ万能型引張試験機（ＵＴＭ−III−２００、東洋ボールドウイン社製）を用い、引張強度を２０ｃｍ／分とし、試料生地の大きさは、幅５ｃｍ、長さ３０ｃｍ、つかみ間隔２０ｃｍとして、測定することができる。緊締力を測定する際の加重は、４．９Ｎ（５００ｇｆ）、ストレッチ性を測定する際の加重は、１７．７Ｎ（１８００ｇｆ）とし、生地素材の経緯方向について測定すればよい。
【００５６】
本実施形態のボトム衣類は、前記強緊締素材および弱緊締素材を縫着又は接着によって一体化して形成することもできる。縫着方法としては、本縫い、環縫い、１本針オーバーロック、２本針オーバーロック、フラットシーマ等の縫目を形成するミシンで縫着する方法が挙げられるが、縫目の種類は特にこれらに限定されるものではない。ただ、縫目もストレッチ性を有し、着用時に違和感を起こしにくい１本針オーバーロック、２本縫いオーバーロック、フラットシーマを採用するのが望ましい。
【００５７】
接着方法としては、一体化したい二種類の生地（部材）にのりしろを設け、熱によって融解し、冷却後生地に浸透して凝固するポリウレタン、又はシリコン等の樹脂製熱融解性のシームテープをのりしろの生地の間にはさみ、熱プレスすることで生地を接着できる熱圧着法があげられるが、縫着同様のりしろにストレッチ性をもたせ、着用時の違和感をなくすることが望ましい。
【００５８】
以上、本発明の代表的な実施形態について説明したが、本発明の技術的思想の範囲内で種々の設計変更が可能である。本発明の技術的思想を利用している限りにおいて、設計変更の内容は本発明の範囲に含まれる。即ち、端的に言えば、梨状筋用緊締部と、ハムストリングス筋用緊締部と、大殿筋用緊締部と、を有するボトム衣類は、全て本発明に含まれるものである。
【００５９】
例えば、図１における股下中心点Ａ１から下側の脚口縁部は、ユーザーの膝よりもかなり上方に位置しているが、より長く膝に近かったり膝を覆っていたりしてもよい。図１０は、図１に示すボトム衣類１の変形例の背面側を示す平面図である。また、図１０に示すように、仙骨に対応する位置に、伸縮率の低いパッド（非伸縮性部材（生地））１０を配置してもよい。このような伸縮率の低いパッドの形状は、仙骨に対応する略逆三角形であってもよいが、台形（上辺又は下辺のいずれが長くてもよい）等の矩形であってもよい。このようなパッドを配置すれば、当該パッド部分が支点になり得るため、梨状筋、ハムストリングス筋及び大殿筋にそれぞれ第一緊締部４、第二緊締部６及び第三緊締部８を集中して作用させ易い。
【００６０】
また、上記実施形態においては、第一緊締部４及び第三緊締部８は部分的に重なっており、ユーザーの身体側から第一緊締部４及び第三緊締部８の順に外側にむかって積層されているが、例えば第二緊締部６の上端がウエスト開口まで伸びていて第一緊締部４及び第三緊締部８と重なっている場合には、ユーザーの身体側から第一緊締部４、第二緊締部６及び第三緊締部８の順に外側にむかって積層するような構成を採るのが好ましい。もちろん、積層順は任意であってもよい。
【００６１】
また、上記実施形態においては、本体部２乃至はボトム衣類１が略矩形で、ウエスト開口側の幅（図７におけるＰＱ）が脚口側の幅よりも若干短く、側縁が若干屈折している態様について説明したが、本発明のボトム衣類はかかる形態に限定されるものではなく、例えば、側縁は直線状であっても曲線状であってもよい。
【産業上の利用可能性】
【００６２】
本発明のボトム衣類は、タイツ（ハーフ又はロング）、スパッツ（ハーフ又はロング）、ガードル、ストッキング等に適用でき、ウォーキングに最適であるが、更に陸上競技、ジョギング、登山、ハイキング等の種々のスポーツや運動にも好適である。また、本発明のボトム衣類は、ジャージ、スラックス、ズボン等の各種の下衣と一体化したインナーとして下衣の内側に設けることも可能である。
【符号の説明】
【００６３】
１  ボトム衣類
２  本体部
４  第一緊締部
６  第二緊締部
８  第三緊締部
１０  パッド（非伸縮性部材（生地））
Ｘ  梨状筋
Ｙ  ハムストリングス筋
Ｚ  大殿筋
ａ  仙骨
ｂ  大腿骨大転子
ｃ  坐骨結節
ｄ  脛骨
ｅ  大腿骨
Ａ１  股下中心点
Ａ２  仙骨最下点
Ｐ  ウエスト開口一端部
Ｑ  ウエスト開口他端部
【図１】
2011241525.tif 000003
【図２】
2011241525.tif 000004
【図３】
2011241525.tif 000005
【図４】
2011241525.tif 000006
【図５】
2011241525.tif 000007
【図６】
2011241525.tif 000008
【図７】
2011241525.tif 000009
【図８】
2011241525.tif 000010
【図９】
2011241525.tif 000011
【図１０】
2011241525.tif 000012
【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
本体部と、伸縮率が前記本体部の伸縮率よりも低くなるように構成された緊締部と、を含み、着用者の着用時に身体にフィットするように構成されたボトム衣類であって、
前記緊締部が、互いに積層された、梨状筋用第一緊締部と、ハムストリングス筋用第二緊締部と、大殿筋用第三緊締部と、を有し、
前記第一緊締部は、仙骨の側部から大腿骨大転子の上縁部にむかう第一領域に略対応する位置に設けられ、仙骨の側部から大腿骨大転子の上縁部へむかう第一方向において、前記本体部よりも伸縮率が低く、
前記第二緊締部は、坐骨結節から脛骨の外側上部及び内側上部にむかう第二領域に略対応する位置に設けられ、坐骨結節から脛骨の外側上部及び内側上部の中心へむかう第二方向において、前記本体部よりも伸縮率が低く、
前記第三緊締部は、仙骨の側部から大腿骨の殿筋粗面にむかう第三領域に略対応する位置に設けられ、前記仙骨の側部から大腿骨の殿筋粗面へむかう第三方向において、前記本体部よりも伸縮率が低く、
前記第一緊締部、前記第二緊締部及び前記第三緊締部が、内側から外側にむけてこの順に積層されていること、
を特徴とするボトム衣類。
【手続補正２】
【補正対象書類名】明細書
【補正対象項目名】００１５
【補正方法】変更
【補正の内容】
【００１５】
また、上記の本発明のボトム衣類においては、
前記第一緊締部、前記第二緊締部及び前記第三緊締部が、内側から外側にむけてこの順に積層されている。
【手続補正３】
【補正対象書類名】明細書
【補正対象項目名】００１６
【補正方法】変更
【補正の内容】
【００１６】
このような構成を有する本発明のボトム衣類を着用すれば、楽にかつ姿勢よく歩行するために必要な筋肉部分である、梨状筋、ハムストリングス筋及び大殿筋が、この順に身体の奥側から表面側にむかって位置しているため、第一緊締部、第二緊締部及び第三緊締部によって、それぞれ梨状筋、ハムストリングス筋及び大殿筋に対して、楽にかつ姿勢よく歩行するために作用する方向にサポートされ易く、その他の筋肉部分に余計な力がかかりにくく、より確実に楽にかつ姿勢よく歩行することができる。
【手続補正４】
【補正対象書類名】明細書
【補正対象項目名】００１７
【補正方法】変更
【補正の内容】
【００１７】
上記の本発明のボトム衣類においては、
背面において、
前記第一領域が、股下中心点Ａ１の鉛直方向上側の仙骨最下点Ａ２とウエスト開口一端部より略１／４の点Ｂとを結ぶ直線Ａ２Ｂと、前記仙骨最下点Ａ２から前記ウエスト開口一端部側の側縁にむかって延びて前記側縁に点Ｃ１で略直交する直線Ａ２Ｃ１と、前記点Ｃ１とウエスト開口他端部Ｄとを結ぶ直線Ｃ１Ｄと、で囲まれる領域を略含み、
前記第二領域が、股下中心点Ａ１から前記ウエスト開口一端部側の側縁にむかって延びて前記側縁に点Ｃ２で略直交する直線Ａ１Ｃ２の略中心点Ｅと脚口縁部の両端Ｆ，Ｇとを結ぶ直線ＥＦ及び直線ＥＧと、前記脚口縁部の両端Ｆ，Ｇを結ぶ直線ＦＧと、で囲まれる領域を略含み、
前記第三領域が、前記直線ＡＢと、前記点Ｂと前記点Ｃ２とを結ぶ直線ＢＣ２と、前記点Ｃ２と前記ウエスト開口一端部側の側縁において前記点Ｃ２と同じか下方に位置する点Ｈと結ぶ直線Ｃ２Ｈと、前記点Ｈと前記仙骨最下点Ａ２とを結ぶ直線ＨＡ２と、で囲まれる領域を略含むこと、
も好ましい。
【手続補正５】
【補正対象書類名】明細書
【補正対象項目名】００１８
【補正方法】変更
【補正の内容】
【００１８】
このような構成を有する本発明のボトム衣類によれば、本発明者の理論に基づいて楽にかつ姿勢よく歩行するために必要な筋肉部分に略対応する位置（第一緊締部、第二緊締部及び第三緊締部）をより明確に特定することができ、本発明のボトム衣類をより確実に製造することができ製造工程上も好ましい。